(57)【要約】【課題】子供や体格が小さい着座者に対しては足載せ台を利用して楽な着座姿勢を実現でき、子供が成長した場合や体格が大きい着座者には、足載せ台を下げて邪魔にならないようにし、机等に脚部や足載せ台が衝突しても傷を付けることがない足載せ台付き回転椅子を提供する。【解決手段】放射状に設けた複数の支脚５の中心部に支軸６を立設するとともに、支軸に伸縮自在且つ回転可能なガスシリンダーを内装して脚部１を構成し、支軸の上方へ突出したガスシリンダーの上端部に座部２を取付けて、脚部に対して座部を高さ調節可能となし、支軸に足載せ台４を取付けてなる足載せ台付き回転椅子において、足載せ台は、支軸に外装して上下所定位置で固定可能な支持筒７から複数の支持アーム８を斜め下方へ向けて放射状に延設するとともに、支持アームの先端部にリング状の足載せ部９を設けた。【選択図】        図１
2004321672.tif 000002
【特許請求の範囲】
【請求項１】
放射状に設けた複数の支脚の中心部に支軸を立設するとともに、該支軸に伸縮自在且つ回転可能なガスシリンダーを内装して脚部を構成し、前記支軸の上方へ突出した前記ガスシリンダーの上端部に座部を取付けて、脚部に対して座部を高さ調節可能となし、前記支軸に足載せ台を取付けてなる足載せ台付き回転椅子において、前記足載せ台は、前記支軸に外装して上下所定位置で固定可能な支持筒から複数の支持アームを斜め下方へ向けて放射状に延設するとともに、該支持アームの先端部にリング状の足載せ部を設けたものであることを特徴とする足載せ台付き回転椅子。
【請求項２】
前記脚部の支脚は、斜め下方へ向けて延びたものである請求項１記載の足載せ台付き回転椅子。
【請求項３】
前記足載せ台におけるリング状の足載せ部の外周に衝撃緩衝部材を添設してなる請求項１又は２記載の足載せ台付き回転椅子。
【請求項４】
前記足載せ部の外周に添設した衝撃緩衝部材の外径を、前記脚部の支脚の最大外寸法よりも大きく設定してなる請求項３記載の足載せ台付き回転椅子。
【発明の詳細な説明】
【０００１】
【発明の属する技術分野】
本発明は、足載せ台付き回転椅子に係わり、更に詳しくは足載せ部の高さを変更可能な足載せ台付き回転椅子に関するものである。
【０００２】
【従来の技術】
従来から、図８に示すように、放射状に設けた複数の支脚１００の中心部に支軸１０１を立設するとともに、該支軸１０１に伸縮自在且つ回転可能なガスシリンダーを内装して脚部１０２を構成し、前記支軸１００の上方へ突出した前記ガスシリンダーの上端部に座部１０３を取付けて、脚部１０２に対して座部１０３を高さ調節可能となした回転椅子において、前記支軸１００に足載せ台１０４を設けたものは周知である。そして、着座者の体格に応じて前記足載せ部の高さを調節できるようにしたものも公知である。
【０００３】
例えば、特許文献１には、前記支軸の所定高さ位置に、該支軸から放射状に伸びた複数の支杆で円形のリング杆を傾斜状態に支持固定して足載せ台を形成し、床面からの高さが異なる前記リング杆を足載せ部とした構造が開示されている。また、特許文献２には、前記支軸に足載せ台をねじ機構により、高さ調節自在に取付けた回転椅子が開示されている。
【０００４】
しかし、特許文献１では足載せ台自体は支軸に固定されているので、体格が大きな着座者が足載せ台を使わずに床面に足を下ろして座る場合に、この足載せ台が邪魔になる。一方、特許文献２の場合には、体格が大きくなるのに合わせて足載せ台の高さ下げることができるが、最も下方に設定した場合でも、足載せ部は比較的高い位置にあり、同様に足載せ台は邪魔になる。
【０００５】
つまり、図８に示すように、通常の回転椅子は、放射状に設けた５本の支脚１００が斜め下方へ向けて延び、その先端にキャスター１０５を設けるとともに、中央部に支軸１０１を立起させて脚部１０２を構成し、前記足載せ台１０４は中心部の支持筒１０６を支軸１０１に高さ調節可能に外装した構造となっているため、前記支持筒１０６が支軸１０１の基部に当接するまで足載せ台１０４を最も下げた場合でも、足載せ部となっているリング部１０７がかなり高い位置にある。そのため、体格が大きな着座者にはリング部１０７が邪魔になるのである。
【０００６】
【特許文献１】特許第２５７０１３４号公報（図２、図３）
【特許文献２】特開２００２−３２０５３１号公報（図１、図２、図１２）
【０００７】
【発明が解決しようとする課題】
本発明が前述の状況に鑑み、解決しようとするところは、子供や体格が小さい着座者に対しては足載せ台を利用して楽な着座姿勢を実現できるとともに、子供が成長した場合や体格が大きい着座者には、足載せ台を最も下方に下げるだけで邪魔にならないようにするとともに、机等に脚部や足載せ台が衝突しても傷を付けることがない足載せ台付き回転椅子を提供する点にある。
【０００８】
【課題を解決するための手段】
本発明は、前述の課題解決のために、放射状に設けた複数の支脚の中心部に支軸を立設するとともに、該支軸に伸縮自在且つ回転可能なガスシリンダーを内装して脚部を構成し、前記支軸の上方へ突出した前記ガスシリンダーの上端部に座部を取付けて、脚部に対して座部を高さ調節可能となし、前記支軸に足載せ台を取付けてなる足載せ台付き回転椅子において、前記足載せ台は、前記支軸に外装して上下所定位置で固定可能な支持筒から複数の支持アームを斜め下方へ向けて放射状に延設するとともに、該支持アームの先端部にリング状の足載せ部を設けたものである足載せ台付き回転椅子を構成した。
【０００９】
ここで、前記脚部の支脚は、斜め下方へ向けて延びたものであると、本発明の効果が顕著である。
【００１０】
また、前記足載せ台におけるリング状の足載せ部の外周に衝撃緩衝部材を添設してなることが好ましい。
【００１１】
更に、前記足載せ部の外周に添設した衝撃緩衝部材の外径を、前記脚部の支脚の最大外寸法よりも大きく設定してなることがより好ましい。
【００１２】
【発明の実施の形態】
次に本発明の実施の形態を添付図面に基づき更に詳細に説明する。図１は本発明に係る足載せ台付き回転椅子を示し、図２〜図５は足載せ台を示し、図中符号１は脚部、２は座部、３は背凭れ部、４は足載せ台、５は支脚、６は支軸をそれぞれ示している。
【００１３】
本発明に係る足載せ台付き回転椅子は、図１に示すように、脚部１に回転可能且つ高さ調節可能に支持された座部２に、背凭れ部３を設けるとともに、前記脚部１に高さ調節可能に足載せ台４を取付けたものである。即ち、放射状に設けた複数の支脚５，…の中心部に支軸６を立設するとともに、該支軸６に伸縮自在且つ回転可能なガスシリンダー（図示せず）を内装して脚部１を構成し、前記支軸６の上方へ突出した前記ガスシリンダーの上端部に座部２を取付けて、脚部１に対して座部２を高さ調節可能となし、前記支軸６に足載せ台４を取付けている。ここで、前記脚部１の支脚５，…は、斜め下方へ向けて延びたものであり、本実施形態では５本の各支脚５は先端に向かうにつれて下方傾斜を大きくした形状となっている。また、各支脚５の先端下部には、キャスター１１をそれぞれ設けている。
【００１４】
そして、前記足載せ台４は、図２〜図５に示すように、前記支軸６に外装して上下所定位置で固定可能な支持筒７から複数の支持アーム８，…を斜め下方へ向けて放射状に延設するとともに、該支持アーム８，…の先端部にリング状の足載せ部９を設けたものである。そして、前記足載せ台４におけるリング状の足載せ部９の外周に衝撃緩衝部材１０を添設している。
【００１５】
また、前記足載せ台４は、合成樹脂製で一体成形してあり、その目的から高い強度を要求されるので、本実施形態ではポリアミド（ＰＡ）にガラスファイバーを充填した材料を用いた。また、前記足載せ部９の外周に添設する衝撃緩衝部材１０としては、その目的から軟質材若しくは弾性材を用いる必要があり、本実施形態ではエチレン酢酸ビニルアセテート（ＥＶＡ）を用いたが、他のオレフィン系の樹脂を用いても良い。
【００１６】
また、分別廃棄を容易にするため、前記衝撃緩衝部材１０は前記足載せ部９に着脱可能に取付けることが好ましい。そのため、図４に示すように、前記足載せ部９の外周面に係合突部１２を連続的又は間歇的に形成するとともに、前記衝撃緩衝部材１０の内側面に前記係合突部１２に外嵌する係合凹溝１３を形成している。ここで、前記衝撃緩衝部材１０は、リング状に一体成形しても良いが、帯状に押出し成形したものを所定長さに切断し、前記足載せ部９の外周面に沿わせて前記係合突部１２と係合凹溝１３との嵌合によって添設しても良い。勿論、分別廃棄が多少難しくなるが、前記衝撃緩衝部材１０を前記足載せ部９の外周面に両面接着テープ等によって接着することも可能である。
【００１７】
また、前記足載せ台４を前記脚部１の支軸６に高さ調節可能に取付ける構造は、本発明では特に限定されるものではないが、図３に示すように本実施形態では前記足載せ台４の支持筒７に内外に貫通する螺孔１４を形成し、該螺孔１４にハンドル付きの調節ネジ１５を螺合し、所定高さで該調節ネジ１５を締付けて前記支軸６の側面に圧接し又は前記支軸６の側面の上下方向に一定間隔毎に設けた凹部に調節ネジ１５の先端を係合して保持するのである。ここで、前記足載せ台４を合成樹脂製で作成しているので、前記螺孔１４の強度を高めるために、内外二重構造の前記支持筒７の内部に金属製のナットを埋設し、ナットの螺孔に対応する支持筒７の内筒１６と外筒１７に孔を形成している。
【００１８】
そして、前記脚部１の支軸６に、前記座部２を取付ける前に、上方から前記足載せ台４の支持筒７を外挿し、所定高さで前記調節ネジ１５を締付けて固定する。図１に示すように、前記足載せ台４を最も下方に設定した場合には、前記支持筒７から複数の支持アーム８，…を斜め下方へ向けて放射状に延設しているので、前記足載せ部９は前記脚部１の各支脚５に近接若しくは接触した状態となって、該足載せ部９の高さを低くすることができ、それにより子供が成長した場合や体格が大きな着座者の場合に該足載せ部９が邪魔になり難くなる。前記足載せ部９が各支脚５に接触して載置されている場合には、該足載せ部９がより一層安定良く、支持強度も大きくできるのである。このことは、図８に示した前記支持筒７から複数の支持アーム８，…を略水平に放射状に延設した従来の場合と比較すれば一目瞭然である。
【００１９】
また、本実施形態では、図６に示すように、前記足載せ部９の外周に添設した衝撃緩衝部材１０の外径Ｄを、前記脚部１の支脚５，５の最大外寸法Ｌよりも大きく設定している。本実施形態のように、前記脚部１に５本の支脚５，…を有している場合、座部２や背凭れ部３を持って椅子を移動させると、その力は中央部の支軸６を介して各キャスター１１に伝達されるので、キャスター１１と床面との間の抵抗によって、進行方向の前方側よりも後方側の方が支脚５の数が多くなるように、しかも左右対称になるように、即ち図６に矢印で示した進行方向に対して前方側には２本の支脚５，５がハの字状になり、後方側には３本の支脚５，…が後方とその両側に対称に配向する。この後方側の３本の支脚５，…のうち、両側に開いた２本の支脚５，５の先端間の寸法が、前記最大外寸法Ｌとなる。この状態で机１８の脚板１９と袖部２０との間の足入れ空間２１に押し込む際にも、前記足載せ台４に設けた衝撃緩衝部材１０が、前記支脚５の先端よりも先に脚板１９又は袖部２０に当るので、当該部分に損傷を与えることがない。
【００２０】
尚、図７に示すように、前記脚部１の各支脚５の先端に外接する円の直径よりも前記足載せ部９の外周に添設した衝撃緩衝部材１０の外径を大きくすることによって、前記支脚５，…がどのような向きになっていても、該支脚５が机１８の脚板１９や袖部２０に当ることがないのである。
【００２１】
尚、前記足載せ部９の外周に衝撃緩衝部材１０を添設することによる作用効果については、図１に示したような支持筒７から複数の支持アーム８，…を斜め下方へ向けて放射状に延設するとともに、該支持アーム８，…の先端部にリング状の足載せ部９を設けたものと、図８に示したような支持筒１０６から複数の支持アーム１０８，…を略水平に向けて放射状に延設するとともに、該支持アーム１０８，…の先端部にリング状の足載せ部１０９を設けたものとでは略同じである。つまり、図８に示した足載せ台１０４の足載せ部１０９の外周に衝撃緩衝部材１０を添設した場合にも、机の脚板や袖部等の他物に足載せ台１０４が衝突してもそれを傷つけることがなく、しかも足載せ台１０４自体も保護することができるのである。この場合にも、前記足載せ台１０４と衝撃緩衝部材１０の素材、前記足載せ部１０９の外周に衝撃緩衝部材１０を着脱可能に添設する構造、前記支脚１００の外形寸法に対する衝撃緩衝部材１０の外径の関係については前記同様である。
【００２２】
【発明の効果】
以上にしてなる請求項１に係る発明の足載せ台付き回転椅子は、放射状に設けた複数の支脚の中心部に支軸を立設するとともに、該支軸に伸縮自在且つ回転可能なガスシリンダーを内装して脚部を構成し、前記支軸の上方へ突出した前記ガスシリンダーの上端部に座部を取付けて、脚部に対して座部を高さ調節可能となし、前記支軸に足載せ台を取付けてなる足載せ台付き回転椅子において、前記足載せ台は、前記支軸に外装して上下所定位置で固定可能な支持筒から複数の支持アームを斜め下方へ向けて放射状に延設するとともに、該支持アームの先端部にリング状の足載せ部を設けたものであるので、子供や体格が小さい着座者に対しては足載せ台を利用して楽な着座姿勢を実現できるとともに、子供が成長した場合や体格が大きい着座者には、足載せ台を最も下方に下げるだけで邪魔にならないようにするとともに、机等に脚部や足載せ台が衝突しても傷を付けることがないのである。
【００２３】
請求項２によれば、前記脚部の支脚が斜め下方へ向けて延びたものであると、足載せ部が脚部の各支脚に近接若しくは接触するまで高さを低くすることができる。
【００２４】
請求項３によれば、足載せ台におけるリング状の足載せ部の外周に衝撃緩衝部材を添設してなるので、足載せ台が他物に直接衝突することを防止し、衝撃緩衝部材の緩衝作用によって他物に損傷を与えることがないのである。
【００２５】
請求項４によれば、足載せ部の外周に添設した衝撃緩衝部材の外径を、脚部の支脚の最大外寸法よりも大きく設定してなるので、足載せ台に設けた衝撃緩衝部材が、支脚の先端よりも先に机の脚板や袖部等の他物に当るので、当該他物に損傷を与えることがないのである。
【図面の簡単な説明】
【図１】本発明に係る足載せ台付き回転椅子の側面図である。
【図２】足載せ台の部分断面図である。
【図３】同じく足載せ台の斜視図である。
【図４】同じく足載せ台の足載せ部の拡大断面図である。
【図５】脚部の支軸に足載せ台を取付けた状態の横断平面図である。
【図６】脚部と足載せ台と机との関係を示す説明図である。
【図７】他の実施形態の足載せ台を脚部の支軸に取付けた状態の横断平面図である。
【図８】従来例を示す足載せ台付き回転椅子の側面図である。
【符号の説明】
１  脚部            ２  座部
３  背凭れ部        ４  足載せ台
５  支脚            ６  支軸
７  支持筒          ８  支持アーム
９  足載せ部        １０  衝撃緩衝部材
１１  キャスター    １２  係合突部
１３  係合凹溝      １４  螺孔
１５  調節ネジ      １６  内筒
１７  外筒          １８  机
１９  脚板          ２０  袖部
２１  足入れ空間
【図１】
2004321672.tif 000003
【図２】
2004321672.tif 000004
【図３】
2004321672.tif 000005
【図４】
2004321672.tif 000006
【図５】
2004321672.tif 000007
【図６】
2004321672.tif 000008
【図７】
2004321672.tif 000009
【図８】
2004321672.tif 000010